(57)【要約】【課題】簡単な操作で使用後の針体の針先を覆うことができ、廃棄処理等に際し安全性の高いプロテクタを提供すること。【解決手段】プロテクタ１は、金属材料からなる板状のプロテクタ本体２を有する。プロテクタ本体２は、針体１００が貫通する第１の孔１１が形成された第１の部位２１と、第２の孔１２が形成された第２の部位２２と、第１の部位２１の一端と第２の部位２２とを連結する第３の部位２３と、第１の部位２１の他端からほぼ先端方向に延びるように形成された第４の部位２４とを有する。プロテクタ１は、針先１０１を覆った状態では、第１の部位２１の針体１００に対する傾斜角度が小さくなることにより、第１の孔１１と針体１００との間の摩擦力が発生または増大して針体１００に対し停止する。第３の部位２３は、内側湾曲部２３１、２３２および外側湾曲部２３３からなり、波状をなしている。【選択図】図１
2004154364.tif 000002
【特許請求の範囲】
【請求項１】
先端に鋭利な針先を有する針体の長手方向に沿って相対的に移動可能な第１の姿勢と、前記針体の針先を覆った状態で、前記針体の長手方向に沿った相対的な移動が禁止される第２の姿勢とに変位可能なプロテクタであって、
金属材料で構成された弾性を有する板状部材を変形してなり、前記針体が貫通する第１の孔が形成された第１の部位と、該第１の部位より基端側に位置し、前記針体が貫通する第２の孔が形成された第２の部位と、前記第１の部位の一端と前記第２の部位とを連結する第３の部位と、前記第１の部位の他端から先端側に延びる第４の部位とを有し、前記第１の姿勢および前記第２の姿勢において前記第１の部位の前記針体に対する傾斜角度を小さくするように作用するような弾性力を発揮するプロテクタ本体と、
前記プロテクタ本体の前記第４の部位側に設けられ、前記第１の姿勢のとき前記針体の外周面に当接することにより前記第１の部位の前記針体に対する傾斜角度が変化することを防止する機能を有する針体当接部とを備え、
前記第１の姿勢から、前記針体に対して相対的に先端方向に移動し、前記針体当接部が前記針先を通過することにより、前記プロテクタ本体の弾性力によって前記針体に対する前記第１の部位の傾斜角度が前記第１の姿勢のときより小さくなるように変形して前記第２の姿勢となり、これにより前記第１の孔の内周面と前記針体の外周面との間の摩擦力が発生または増大して前記針体の長手方向に沿った相対的な移動が禁止されるよう構成され、
前記第３の部位は、側面視で曲率中心が前記第３の部位の内側に位置するように湾曲する少なくとも１つの内側湾曲部と、側面視で曲率中心が前記第３の部位の外側に位置するように湾曲する少なくとも１つの外側湾曲部とを有することを特徴とするプロテクタ。
【請求項２】
前記第３の部位は、前記内側湾曲部と前記外側湾曲部とが交互に隣接して位置してなる波状部を有する請求項１に記載のプロテクタ。
【請求項３】
前記第２の姿勢のとき、前記針先を先端側から覆う第１の針先受け部と、
前記第１の針先受け部より先端側に設けられ、前記第２の姿勢のとき、前記針先が前記第１の針先受け部を超えて先端方向に突出しようとした場合に前記針先を受ける第２の針先受け部と、
前記第２の針先受け部とともに変位するように設けられ、前記第２の姿勢のとき、前記針先が前記第１の針先受け部を超えて先端方向に突出しようとした場合に前記第２の針先受け部の基端側において前記針先を側方から覆う一対の側壁部とをさらに備える請求項１または２に記載のプロテクタ。
【請求項４】
先端に鋭利な針先を有する針体の長手方向に沿って相対的に移動可能な第１の姿勢と、前記針体の針先を覆った状態で、前記針体の長手方向に沿った相対的な移動が禁止される第２の姿勢とに変位可能なプロテクタであって、
金属材料で構成された弾性を有する板状部材を変形してなり、前記針体が貫通する第１の孔が形成された第１の部位と、該第１の部位より基端側に位置し、前記針体が貫通する第２の孔が形成された第２の部位と、前記第１の部位の一端と前記第２の部位とを連結する第３の部位と、前記第１の部位の他端から先端側に延びる第４の部位とを有し、前記第１の姿勢および前記第２の姿勢において前記第１の部位の前記針体に対する傾斜角度を小さくするように作用するような弾性力を発揮するプロテクタ本体と、
前記プロテクタ本体の前記第４の部位側に設けられ、前記第１の姿勢のとき前記針体の外周面に当接することにより前記第１の部位の前記針体に対する傾斜角度が変化することを防止する機能を有する針体当接部と、
前記第２の姿勢のとき、前記針先を先端側から覆う第１の針先受け部と、
前記第１の針先受け部より先端側に設けられ、前記第２の姿勢のとき、前記針先が前記第１の針先受け部を超えて先端方向に突出しようとした場合に前記針先を受ける第２の針先受け部と、
前記第２の針先受け部とともに変位するように設けられ、前記第２の姿勢のとき、前記針先が前記第１の針先受け部を超えて先端方向に突出しようとした場合に前記第２の針先受け部の基端側において前記針先を側方から覆う一対の側壁部とを備え、
前記第１の姿勢から、前記針体に対して相対的に先端方向に移動し、前記針体当接部が前記針先を通過することにより、前記プロテクタ本体の弾性力によって前記針体に対する前記第１の部位の傾斜角度が前記第１の姿勢のときより小さくなるように変形して前記第２の姿勢となり、これにより前記第１の孔の内周面と前記針体の外周面との間の摩擦力が発生または増大して前記針体の長手方向に沿った相対的な移動が禁止されるよう構成されていることを特徴とするプロテクタ。
【請求項５】
前記第２の針先受け部は、前記第１の姿勢から前記第２の姿勢になるとき、前記第１の針先受け部と反対側から閉じる請求項４に記載のプロテクタ。
【請求項６】
前記第２の針先受け部および前記一対の側壁部は、弾性片を介して前記プロテクタ本体に設置されており、
前記第２の針先受け部は、前記第１の姿勢のときには前記弾性片の弾性力により前記針体の外周面に圧接されており、前記第２の姿勢になると、前記弾性片の弾性力により閉じる請求項４または５に記載のプロテクタ。
【請求項７】
前記弾性片は、前記プロテクタ本体の前記第４の部位から分岐または突出するように設置されている請求項６に記載のプロテクタ。
【発明の詳細な説明】
【０００１】
【発明の属する技術分野】
本発明は、例えば輸液や採血の際に血管等に穿刺して使用される針体の針先を覆うことができるプロテクタに関する。
【０００２】
【従来の技術】
患者に対し輸液、採血、薬液の投与などを行う際には、例えば中空の注射針のような医療用の針体が使用される。使用後の針体は、廃棄に供されるが、そのまま廃棄すると、廃棄作業者等が誤って針先で指等を刺すという事故が起きるおそれがある。特に、針体の表面や内部には、血液が付着、残留しているため、このような誤刺により、感染を起こすおそれもある。
【０００３】
現状では、誤刺を防止するため、使用済みの針体は、キャップを被せて破棄するなどの対策がとられているが、針体にキャップを被せる作業に際しても、針先で作業者の手を刺したりしないようにするために、細心の注意を払わねばならず、使用後の針体の廃棄処理に多大な手間を要するという問題がある。
【０００４】
そこで、使用後の針体の針先を安全に覆うことができるプロテクタとして、針体の使用時には針体の途中の部分に装着されており、使用後に針先に移動して針先を覆うプロテクタが提案されている（例えば、特許文献１、特許文献２参照）。
【０００５】
しかしながら、特許文献１、特許文献２に記載されたプロテクタでは、針先を覆ったプロテクタが針先から離脱するのを防止するためには、針体にプロテクタとの係合部（凹部または凸部）を設けたり、針体の基端側に設置されたハブとプロテクタとをヒモや糸などで連結したりするなどの、特別な（別個の）手段が必要になるという問題があった。
【０００６】
この問題を解決するため、針体の途中の部分に装着されている姿勢では針体の長手方向に沿って摺動可能であり、針先を覆う姿勢になると針体に対しブレーキをかけるようにして針体の長手方向に沿った移動が禁止されるよう構成したプロテクタが提案されている（特許文献３参照）。この特許文献３に記載のプロテクタは、針先に向かって先端方向に移動させたプロテクタを針先の位置で停止させるための特別な手段が不要であるという利点がある。
【０００７】
この特許文献３に記載のプロテクタでは、プロテクタ本体の弾性力によって第１の姿勢から第２の姿勢に変形することにより、針体に対するブレーキ作用が発現するよう構成されているが、プロテクタが第１の姿勢のままで長期間に渡って保管されたような場合、プロテクタ本体の板厚や材質等の条件によっては、稀に、プロテクタ本体にブレーキ作用発現前の第１の姿勢での形状ぐせがつき、第２の姿勢になったときのブレーキ作用が低下する場合があった。
【０００８】
また、特許文献３に記載のプロテクタは、針先を覆った姿勢で針先を先端側から受ける針先受け部（特許文献３明細書中での「湾曲部３６」）を有している。しかしながら、プロテクタに対する針先の刃面の向きや、針先の形状、プロテクタが移動する速さ等の条件によっては、稀に、針先の最先端部が針先受け部の基端側に来る前にブレーキが掛かって停止し、針先を覆ったとき、針先の最先端部が針先受け部を超えた状態になることがあるという課題があった。
【０００９】
【特許文献１】
特開平９−９９０６８号公報
【特許文献２】
国際公開第９９／０８７４２号パンフレット
【特許文献３】
特開２００２−２１０００５号公報
【００１０】
【発明が解決しようとする課題】
本発明の目的は、簡単な操作で使用後の針体の針先を覆うことができ、廃棄処理等に際し安全性の高いプロテクタを提供することにある。
【００１１】
【課題を解決するための手段】
このような目的は、下記（１）〜（７）の本発明により達成される。また、下記（８）〜（１２）であるのが好ましい。
【００１２】
（１）  先端に鋭利な針先を有する針体の長手方向に沿って相対的に移動可能な第１の姿勢と、前記針体の針先を覆った状態で、前記針体の長手方向に沿った相対的な移動が禁止される第２の姿勢とに変位可能なプロテクタであって、
金属材料で構成された弾性を有する板状部材を変形してなり、前記針体が貫通する第１の孔が形成された第１の部位と、該第１の部位より基端側に位置し、前記針体が貫通する第２の孔が形成された第２の部位と、前記第１の部位の一端と前記第２の部位とを連結する第３の部位と、前記第１の部位の他端から先端側に延びる第４の部位とを有し、前記第１の姿勢および前記第２の姿勢において前記第１の部位の前記針体に対する傾斜角度を小さくするように作用するような弾性力を発揮するプロテクタ本体と、
前記プロテクタ本体の前記第４の部位側に設けられ、前記第１の姿勢のとき前記針体の外周面に当接することにより前記第１の部位の前記針体に対する傾斜角度が変化することを防止する機能を有する針体当接部とを備え、
前記第１の姿勢から、前記針体に対して相対的に先端方向に移動し、前記針体当接部が前記針先を通過することにより、前記プロテクタ本体の弾性力によって前記針体に対する前記第１の部位の傾斜角度が前記第１の姿勢のときより小さくなるように変形して前記第２の姿勢となり、これにより前記第１の孔の内周面と前記針体の外周面との間の摩擦力が発生または増大して前記針体の長手方向に沿った相対的な移動が禁止されるよう構成され、
前記第３の部位は、側面視で曲率中心が前記第３の部位の内側に位置するように湾曲する少なくとも１つの内側湾曲部と、側面視で曲率中心が前記第３の部位の外側に位置するように湾曲する少なくとも１つの外側湾曲部とを有することを特徴とするプロテクタ。
【００１３】
（２）  前記第３の部位は、前記内側湾曲部と前記外側湾曲部とが交互に隣接して位置してなる波状部を有する上記（１）に記載のプロテクタ。
【００１４】
（３）  前記第２の姿勢のとき、前記針先を先端側から覆う第１の針先受け部と、
前記第１の針先受け部より先端側に設けられ、前記第２の姿勢のとき、前記針先が前記第１の針先受け部を超えて先端方向に突出しようとした場合に前記針先を受ける第２の針先受け部と、
前記第２の針先受け部とともに変位するように設けられ、前記第２の姿勢のとき、前記針先が前記第１の針先受け部を超えて先端方向に突出しようとした場合に前記第２の針先受け部の基端側において前記針先を側方から覆う一対の側壁部とをさらに備える上記（１）または（２）に記載のプロテクタ。
【００１５】
（４）  先端に鋭利な針先を有する針体の長手方向に沿って相対的に移動可能な第１の姿勢と、前記針体の針先を覆った状態で、前記針体の長手方向に沿った相対的な移動が禁止される第２の姿勢とに変位可能なプロテクタであって、
金属材料で構成された弾性を有する板状部材を変形してなり、前記針体が貫通する第１の孔が形成された第１の部位と、該第１の部位より基端側に位置し、前記針体が貫通する第２の孔が形成された第２の部位と、前記第１の部位の一端と前記第２の部位とを連結する第３の部位と、前記第１の部位の他端から先端側に延びる第４の部位とを有し、前記第１の姿勢および前記第２の姿勢において前記第１の部位の前記針体に対する傾斜角度を小さくするように作用するような弾性力を発揮するプロテクタ本体と、
前記プロテクタ本体の前記第４の部位側に設けられ、前記第１の姿勢のとき前記針体の外周面に当接することにより前記第１の部位の前記針体に対する傾斜角度が変化することを防止する機能を有する針体当接部と、
前記第２の姿勢のとき、前記針先を先端側から覆う第１の針先受け部と、
前記第１の針先受け部より先端側に設けられ、前記第２の姿勢のとき、前記針先が前記第１の針先受け部を超えて先端方向に突出しようとした場合に前記針先を受ける第２の針先受け部と、
前記第２の針先受け部とともに変位するように設けられ、前記第２の姿勢のとき、前記針先が前記第１の針先受け部を超えて先端方向に突出しようとした場合に前記第２の針先受け部の基端側において前記針先を側方から覆う一対の側壁部とを備え、
前記第１の姿勢から、前記針体に対して相対的に先端方向に移動し、前記針体当接部が前記針先を通過することにより、前記プロテクタ本体の弾性力によって前記針体に対する前記第１の部位の傾斜角度が前記第１の姿勢のときより小さくなるように変形して前記第２の姿勢となり、これにより前記第１の孔の内周面と前記針体の外周面との間の摩擦力が発生または増大して前記針体の長手方向に沿った相対的な移動が禁止されるよう構成されていることを特徴とするプロテクタ。
【００１６】
（５）  前記第２の針先受け部は、前記第１の姿勢から前記第２の姿勢になるとき、前記第１の針先受け部と反対側から閉じる上記（４）に記載のプロテクタ。
【００１７】
（６）  前記第２の針先受け部および前記一対の側壁部は、弾性片を介して前記プロテクタ本体に設置されており、
前記第２の針先受け部は、前記第１の姿勢のときには前記弾性片の弾性力により前記針体の外周面に圧接されており、前記第２の姿勢になると、前記弾性片の弾性力により閉じる上記（４）または（５）に記載のプロテクタ。
【００１８】
（７）  前記弾性片は、前記プロテクタ本体の前記第４の部位から分岐または突出するように設置されている上記（６）に記載のプロテクタ。
【００１９】
（８）  前記第３の部位は、そのほぼ全長に渡り前記内側湾曲部または前記外側湾曲部が形成されている上記（１）ないし（３）のいずれかに記載のプロテクタ。
【００２０】
（９）  前記一対の側壁部は、前記第１の姿勢のときにも、前記針体を側方から覆う上記（４）ないし（７）のいずれかに記載のプロテクタ。
【００２１】
（１０）  前記第２の針先受け部は、前記第１の姿勢のとき、前記針体当接部と反対側から前記針体に当接する上記（４）ないし（７）および（９）のいずれかに記載のプロテクタ。
【００２２】
（１１）  前記針体当接部と前記第１の針先受け部とは、樹脂材料により一体的に形成された部材で構成されている上記（４）ないし（７）、（９）および（１０）のいずれかに記載のプロテクタ。
【００２３】
（１２）  前記第１の針先受け部とともに変位するように設けられ、前記第２の姿勢のとき、前記第１の針先受け部の基端側において前記針先を側方から覆う一対の側壁部をさらに備える上記（４）ないし（７）および（９）ないし（１１）のいずれかに記載のプロテクタ。
【００２４】
【発明の実施の形態】
以下、本発明のプロテクタを添付図面に示す好適な実施形態に基づいて詳細に説明する。
【００２５】
図１は、本発明のプロテクタの実施形態（第１の姿勢）を示す断面側面図、図２は、本発明のプロテクタの実施形態（第２の姿勢）を示す断面側面図である。なお、以下では、図１および図２中の左側を「先端」、右側を「基端」、下側を「一端」、上側を「他端」として説明する。
【００２６】
これらの図に示すプロテクタ１は、医療用の針体（針管）１００に装着して使用されるものであり、針体１００の使用後にその針先１０１を収納する（覆う）ことにより、誤刺等を防止するものである。
【００２７】
後述するように、このプロテクタ１は、針体１００の長手方向（軸方向）に沿って相対的に移動可能な第１の姿勢（図１に示す姿勢）と、針体１００の針先１０１を覆った状態で、針体１００の長手方向に沿った相対的な移動が禁止される第２の姿勢（図２に示す姿勢）に変位（変形）可能になっている。
【００２８】
針体１００は、中空針であり、例えば、ステンレス鋼、アルミニウムまたはアルミニウム合金、チタンまたはチタン合金のような金属材料で構成されている。生体（患者の血管）に穿刺した針体１００を介して、例えば血液の採取や薬液の注入等が行われる。
【００２９】
針体１００の先端部には、鋭利な針先１０１が形成されている（図２参照）。この針先１０１は、針体１００の中心軸線に対し所定角度傾斜した刃面１０２を有する形状をなしている。
【００３０】
プロテクタ１は、金属材料で構成された弾性を有する板状部材を変形して（曲げ加工して）形成されたプロテクタ本体２と、該プロテクタ本体２に固定（固着）されたプラスチック部材３とを有している。
【００３１】
図１に示すように、プロテクタ本体２は、第１の孔１１が形成された第１の部位（ブレーキ部）２１と、該第１の部位２１の基端側（針元側）に設けられ、第２の孔１２が形成された第２の部位２２と、第１の部位２１の一端と第２の部位２２の一端とを連結する第３の部位２３とを有している。
【００３２】
第１の孔１１および第２の孔１２には、針体１００が貫通している。第１の孔１１の形状は、円形であることが好ましい。
【００３３】
また、プロテクタ本体２は、第１の部位２１の他端から先端側（ほぼ先端方向）に延びる第４の部位２４をさらに有している。第１の姿勢および第２の姿勢において、第４の部位２４と第１の部位２１とは、鋭角をなすように配置されている。
【００３４】
また、プロテクタ本体２は、第４の部位２４の先端から図中の下側に延びる第５の部位２５をさらに有している。図示の構成では、第５の部位２５は、第４の部位２４に対しほぼ垂直に設けられている。
【００３５】
第４の部位２４の先端側の部分には、針体１００を挿通する長孔（切欠き）２６が形成されている。第１の姿勢のとき、針体１００は、この長孔２６を挿通（貫通）している。
【００３６】
このようなプロテクタ本体２は、金属材料で構成されている。これにより、第２の姿勢において、第１の孔１１の内周面（内周部）と、針体１００の外周面（表面）との摩擦力が十分に大きくなり、第１の部位２１（ブレーキ部）のブレーキ作用が確実に発揮される。プロテクタ本体２を構成する金属材料としては、特に限定されないが、例えば、ステンレス鋼、アルミニウムまたはアルミニウム合金、チタンまたはチタン合金、銅または銅系合金等が挙げられる。
【００３７】
なお、本実施形態では、プロテクタ本体２は、その各部が一体的に形成されたものとなっているが、本発明では、プロテクタ本体２が２以上の部品で構成されていてもよい。
【００３８】
プロテクタ本体２の第４の部位２４側には、プラスチック部材３が設置されている。第４の部位２４および第５の部位２５と、プラスチック部材３との固定方法は、いかなる方法でもよく、例えば、カシメ、凹凸による係合、接着剤による接着、融着などが挙げられる。
【００３９】
プラスチック部材３は、第４の部位２４に対しほぼ垂直に配置されるとともに針体１００を間に挟むように位置する一対の第１壁部（側壁部）３１と、第４の部位２４に対し針体１００を挟んで反対側に位置する第２壁部３２と、プラスチック部材３の先端部に位置する第３壁部３３とを有している。第３壁部３３は、第５の部位２５とほぼ平行に配置され、第５の部位２５の内面に接触するように位置している。
【００４０】
プラスチック部材３の内側には、これらの壁部に囲まれるようにして、針先収納空間３４が形成されている。図２に示すように、第２の姿勢のとき、針体１００の針先１０１は、この針先収納空間３４に収納される。
【００４１】
このようなプラスチック部材３は、プロテクタ１の姿勢変化において、第４の部位２４および第５の部位２５と一体となって変位（移動）する。
【００４２】
第３壁部３３の図中の上端部は、第１の姿勢のときに針体１００の外周面に図中の下側から当接する針体当接部３５となっている。針体当接部３５の針体１００に対する接触面は、平面になっていてもよく、また、針体１００の外周面に対応するような円弧状の湾曲面になっていてもよい。
【００４３】
第１の姿勢のとき、プラスチック部材３は、プロテクタ本体２の弾性（バネ性）により、図１中の時計回りに回動するような方向に付勢されており、この付勢力により、第１の姿勢のとき、針体当接部３５は、針体１００に圧接された状態になっている。
【００４４】
なお、プラスチック部材３は、図示のような構成に限らず、例えば、針体当接部を孔として有する筒状の形状をなすようなものであってもよい。
【００４５】
本実施形態では、針体当接部３５を含むプラスチック部材３は、樹脂材料（合成樹脂材料）で構成されている。これにより、第１の姿勢において、針体当接部３５と針体１００の外周面との間の摩擦抵抗が軽減され、プロテクタ１の針体１００に対する摺動抵抗がより小さくなる。その結果、プロテクタ１は、第１の姿勢のとき、針体１００の長手方向（軸方向）に沿って円滑に（比較的小さい操作力で）移動することができる。
【００４６】
プラスチック部材３（針体当接部３５）を構成する樹脂材料としては、特に限定されないが、ポリエチレン、ポリプロピレン、ポリウレタン、ポリスチレン、ポリカーボネート、ポリエステル、ＡＢＳ樹脂、ＡＳ樹脂、フッ素系樹脂、ポリアセタール等の各種樹脂材料が挙げられる。
【００４７】
なお、針体当接部３５の針体１００に対する接触面は、例えば「Ｖ」字状、「コ」字状などであってもよい。
【００４８】
このようなプロテクタ１は、針体１００の使用時（生体などに穿刺するとき）には、第１の姿勢で、針体１００の途中の部分（または基端側の部分）に位置した状態とされる。第１の姿勢においては、針体１００は、第２の孔１２、第１の孔１１、長孔２６を挿通（貫通）して、プロテクタ１の先端から突出する。
【００４９】
プロテクタ１は、第１の姿勢から針体１００に対し相対的に先端方向に移動することにより、図２に示す第２の姿勢に変位（変形）して針先１０１を覆う。この第２の姿勢においては、プロテクタ本体２における第１の部位２１と第３の部位２３とのなす角度が第１の姿勢のときよりも小さくなる。すなわち、プロテクタ１は、第１の部位２１と第３の部位２３とが閉じるように（第１の部位２１が第３の部位２３に近づくように）変形することにより、第１の姿勢から第２の姿勢に変位（変形）する。
【００５０】
プロテクタ本体２は、第１の姿勢および第２の姿勢において、第１の部位２１の針体１００に対する傾斜角度を小さくするように作用するような弾性力を発揮する。これにより、第１の姿勢から第２の姿勢への変位（変形）は、プロテクタ本体２（主に第３の部位２３を含むその付近の部分）の弾性（弾性力）によって生じるようになっている。
【００５１】
すなわち、プロテクタ１に外力を付与しない自然状態（プロテクタ１を針体１００に装着していない状態）においては、第１の部位２１と第３の部位２３とのなす角度は、図２に示す状態よりもさらに小さくなっており、プロテクタ１は、このような自然状態から第１の部位２１と第３の部位２３とが開くように（第１の部位２１が第３の部位２３から遠ざかるように）変形（弾性変形）した状態とされて針体１００に装着されている。
【００５２】
このような構成により、プロテクタ１が針体１００に装着された状態では、第１の部位２１は、針体１００に対する傾斜角度（図１中のθおよび図２中のθ’で示す角度）が小さくなるような方向に付勢されている。すなわち、プロテクタ本体２の第３の部位２３を含むその付近の部位は、その弾性によって第１の部位２１の針体１００に対する傾斜角度が小さくなるような方向に第１の部位２１を付勢する付勢手段となっている。
【００５３】
ここで、第１の部位２１の針体１００に対する傾斜角度は、第１の部位２１と針体１００とがなす角のどちら側を選択するかによって２つの大きさで表すことができるが、本明細書において「第１の部位２１の針体１００に対する傾斜角度」とは、第２の姿勢のときに９０°未満になる角（小さい方の角）の角度を指すものとする。すなわち、本実施形態においては、図１中のθおよび図２中のθ’で示す角度である。この角度を以下、「第１の部位傾斜角度」と言う。
【００５４】
図１に示すように、第１の姿勢においては、針体当接部３５が針体１００の外周面に当接していることにより、前記付勢手段の付勢力によって第１の部位傾斜角度が小さくなるようにプロテクタ１が変形することが阻止されており、これにより、前述したように第１の姿勢における第１の部位傾斜角度θは、比較的大きい角度に保たれている。
【００５５】
よって、第１の姿勢では、第１の孔１１と、針体１００との間には、隙間が形成されており、第１の孔１１の内周面と、針体１００の外周面との間の摩擦力は、実質的に作用していないか、または、比較的小さい状態になっている。すなわち、第１の姿勢では、第１の部位２１がブレーキ作用を生じないようになっている。
【００５６】
このように、針体当接部３５は、第１の姿勢のとき針体１００に当接することにより、第１の部位傾斜角度が小さくなる（変化する）ことを防止して、第１の部位２１のブレーキ作用を留保する機能を有している。すなわち、第１の姿勢では、プロテクタ１は、針体当接部３５が針体１００に当接することにより、ブレーキ作用留保状態になっている。
【００５７】
このように、第１の姿勢では、針体当接部３５は、前記付勢手段の付勢力により、針体１００の外周面に圧接された状態となっている。本実施形態では、前述したように針体当接部３５が樹脂材料で構成されていることから、プロテクタ１は、針体１００に対しより円滑に（比較的小さい操作力で）移動可能になっている。
【００５８】
第１の姿勢から、プロテクタ１を針体１００に対し相対的に先端方向に移動させていき、針体当接部３５が針先１０１の最先端部１０３を通過し、針体当接部３５が針体１００に接触しなくなると、プロテクタ１は、ブレーキ作用留保状態が解除され、前記付勢手段の付勢力によって、弾性的に第２の姿勢に変位（変形）する。
【００５９】
第２の姿勢では、プロテクタ１は、第１の姿勢のときと比べ、第１の部位２１が第３の部位２３（針体１００）に対し図中の時計回りに回動するように変位（変形）している。これにより、図２に示すように、第１の部位傾斜角度は、第１の姿勢のときより小さくなっており、θ’＜θなるθ’となっている。
【００６０】
第１の部位２１の姿勢変化に伴なって、第４の部位２４、第５の部位２５およびプラスチック部材３も、第３の部位２３（針体１００）に対し図中の時計回りに変位（回動）する。この変位により、プラスチック部材３の第３壁部３３、第２壁部３２は、針体１００（針先１０１）に接近し、針先１０１の最先端部１０３を先端側から覆うような位置に移動する。換言すれば、第３壁部３３、第２壁部３２が、針先１０１に対し図中の下側から閉じて、針先１０１の最先端部１０３を先端側から覆う。このように、プラスチック部材３の第２壁部３２と第３壁部３３とは、第２の姿勢のとき、針先１０１を先端側から覆う第１の針先受け部（第１シャッター）を構成するものである。
【００６１】
このような第２の姿勢においては、プロテクタ１の第１の部位２１が針体１００に対してブレーキとして機能することにより、プロテクタ１は、針体１００の長手方向に沿った相対的な移動が禁止（阻止）される。すなわち、プロテクタ本体２の弾性力によって第１の部位傾斜角度が第１の姿勢のときより小さくなることにより、第１の孔１１の内周面（内周部）が針体１００の外周面（表面）に圧接され、第１の孔１１の内周面と針体１００の外周面との間の摩擦力が発生または増大する。この摩擦力が、プロテクタ１に制動力として作用し、針体１００の長手方向に沿ったプロテクタ１の移動を禁止（阻止）する。
【００６２】
このような構成により、針先１０１が針先収納空間３４に収納される（第２の姿勢になる）と、針先１０１は、プロテクタ１を超えて突出することがない。
【００６３】
このようなプロテクタ１では、プロテクタ本体２の第３の部位２３は、側面視で曲率中心が第３の部位２３の内側に位置するように湾曲する２つの内側湾曲部２３１、２３２と、側面視で曲率中心が第３の部位２３の外側に位置するように湾曲する１つの外側湾曲部２３３とを有している。
【００６４】
プロテクタ１では、第１の姿勢で第３の部位２３が曲げ変形しているとき、これらの内側湾曲部２３１、２３２および外側湾曲部２３３のそれぞれが効率良く（均一に）曲げを吸収してしなやかに変形する。このような性質は、内側湾曲部２３１、２３２に加えて、これと反対向きに湾曲する外側湾曲部２３３がさらに形成されていることによって得られるものである。その結果、第１の姿勢の状態で長期間経過した場合でも、第３の部位２３に形状ぐせが付きにくく、第２の姿勢になったとき、第３の部位２３の弾性力が十分に発揮される。よって、プロテクタ１は、第１の姿勢で長期間保管されたような場合であっても、第２の姿勢になったとき、第１の部位２１のブレーキ作用がより確実に、かつ、より強力に発現する。
【００６５】
また、本実施形態の第３の部位２３では、外側湾曲部２３３が内側湾曲部２３１と内側湾曲部２３２との間に隣接して位置しており、これら内側湾曲部２３１、２３２および外側湾曲部２３３によって、側面視で波状（波打ち形状）をなす波状部が構成されている。また、第３の部位２３には、そのほぼ全長に渡って内側湾曲部２３１、２３２または外側湾曲部２３３が形成されている。このようなことから、上述の効果がより顕著に発揮される。
【００６６】
なお、上述したような効果を得る観点から、第３の部位２３には、内側湾曲部と外側湾曲部とが少なくとも１つずつ形成されているのが好ましい。その場合、第３の部位２３には、湾曲していない部分があってもよいが、そのほぼ全長に渡って内側湾曲部または外側湾曲部が形成されているのがより好ましい。また、第３の部位２３では、図示の構成のように、内側湾曲部と外側湾曲部とが交互に隣接して位置することによって波状部を形成するのがより好ましい。
【００６７】
このようなプロテクタ１では、第１の姿勢における第１の部位傾斜角度θは、特に限定されないが、６０°以上であるのが好ましい。
【００６８】
また、第１の孔１１の内径は、針体１００の外径によってもその好ましい大きさは異なるが、通常、針体１００の外径より０．０１〜０．２ｍｍ程度大きいのが好ましく、０．０５〜０．１ｍｍ程度大きいのがより好ましい。これにより、第２の姿勢において、第１の孔１１の内周面と針体１００の外周面との間の摩擦力（プロテクタ１に作用する制動力）が大きくなり、針体１００の長手方向に沿った相対的な移動がより確実に禁止（阻止）される。
【００６９】
なお、本発明においては、第１の孔１１は、周方向の一部が欠損したもの（Ｃ字状のものなど）であってもよい（第２の孔１２についても同様）。
【００７０】
また、第２の孔１２の形状は、針体１００に対し摺動可能であれば円形に限らないが、円形である場合には、その内径は、第１の姿勢における摺動抵抗を軽減する観点から、針体１００の外径より０．０５〜１ｍｍ程度大きいのが好ましい。
【００７１】
また、本発明では、第２の孔１２の近傍の部位（針体１００との接触面）を前述したような樹脂材料で構成したり、曲げ加工を施すこと等により針体１００との接触面を滑らかにしてもよい。これにより、第２の孔１２の内面と、針体１００の外周面との間の摩擦力が軽減される。よって、第１の姿勢におけるプロテクタ１の針体１００に対する摺動抵抗をより軽減することができ、その結果、プロテクタ１を針体１００に対し相対的に先端方向に移動する操作（プロテクタ１で針先１０１を覆う操作）をさらに容易、円滑に行うことができる。
【００７２】
プロテクタ本体２を構成する板状部材（特に、第１の部位２１）の厚さは、その構成材料や針体１００の外径等によってもその好ましい値は異なるが、通常、０．０５〜２ｍｍ程度であるのが好ましく、０．０６〜０．２ｍｍ程度であるのがより好ましい。前記範囲において、比較的厚いものとした場合には、第２の姿勢においてプロテクタ１に作用する制動力や針先１０１の保護性が特に優れたものとなり、比較的薄いものとした場合には、加工性や第１の姿勢における針体１００に対する摺動のし易さが特に優れたものとなる。
【００７３】
また、このようなプロテクタ１では、第２の姿勢において、第５の部位２５またはプラスチック部材３等が基端方向に押圧されたとき、第１の部位２１に対し、第１の部位傾斜角度θ’がより小さくなるような力を作用する手段を有する。
【００７４】
すなわち、第２の姿勢において、例えば第５の部位２５またはプラスチック部材３の先端に対し基端方向に押圧力を加えたとき、この押圧力は、第４の部位２４を介して第１の部位２１に伝達され、第１の部位傾斜角度θ’が小さくなるように作用する。これにより、第１の孔１１の内周面と針体１００の外周面との間の摩擦力（プロテクタ１に作用する制動力）がさらに増大して前記押圧力に対抗し、プロテクタ１の移動をより確実に禁止（阻止）する。
【００７５】
また、特に強い押圧力が作用して、プロテクタ１が万一基端方向に僅かに移動した場合にも、針先１０１の最先端部１０３は、第３壁部３３または第２壁部３２（第１の針先受け部）に当接するため、針先１０１がプロテクタ１を超えて突出することが確実に防止される。
【００７６】
このようなプロテクタ１は、第２の姿勢のとき、針先１０１が第３壁部３３（第１の針先受け部）を超えて先端方向に突出しようとした場合に、針先１０１（最先端部１０３）を受ける第２の針先受け部（第２シャッター）４と、この第２の針先受け部４の基端側（基端側近傍）において針先１０１を側方から覆う（両側から挟むように覆う）一対の側壁部７とを有している。第２の針先受け部４は、第３壁部３３および第２壁部３２（第１の針先受け部）より先端側に設置されている。
【００７７】
第２の針先受け部４および側壁部７は、弾性片５を介してプロテクタ本体２に固定されている。弾性片５は、板状の部材であり、第４の部位２４の基端側の部分から分岐（または突出）するように設置されている。すなわち、弾性片５の基端部は、第４の部位２４の基端側の部分に例えば溶接により固着されており、この固着部分からほぼ先端方向に延びるように配置されている。
【００７８】
第２の針先受け部４は、この弾性片５の先端部から屈曲して図中のほぼ下方向に突出するように設けられている。換言すれば、第２の針先受け部４は、弾性片５の先端部に対し、Ｌ字状（または鉤状）をなすように屈曲して配置されている。この屈曲角度は、本実施形態では、ほぼ９０°になっている。なお、この屈曲角度αは、特に限定されるものではなく、通常、６０〜９０°程度であるのが好ましい。
【００７９】
また、側壁部７は、弾性片５の両方の側部からほぼ９０°屈曲して図中のほぼ下方向に突出するように設けられている。
【００８０】
本実施形態では、第２の針先受け部４、弾性片５および側壁部７は、金属材料からなる板状部材を折り曲げることにより一体的に形成されている。この金属材料としては、プロテクタ本体２の構成材料として挙げたものと同様のものを用いることができる。また、第２の針先受け部４、弾性片５および側壁部７の構成材料としては、金属材料に限らず、各種合成樹脂材料も用いることができる。また、弾性片５、第２の針先受け部４、側壁部７が別部材で構成されていてもよい。
【００８１】
弾性片５の厚さは、その構成材料や針体１００の外径等の条件によってもその好ましい値は異なるが、プロテクタ本体２を構成する板状部材より薄い方が好ましい。具体的には、弾性片５の厚さは、通常、０．０２〜０．１ｍｍ程度であるのが好ましく、０．０４〜０．０８ｍｍ程度であるのがより好ましい。
【００８２】
また、本実施形態では、第２の針先受け部４は、図中の下端部に、内側に湾曲（または屈曲）する係止部４１を有している。これにより、第２の針先受け部４が針先１０１の最先端部１０３を受けたとき、最先端部１０３が図中の下側に逃げるのをより確実に防止することができる。また、第１の姿勢のとき、係止部４１の湾曲面が針体１００の外周面に当接するので、第２の針先受け部４（係止部４１）が針体１００に対し円滑に摺動し、摩擦抵抗が少ない。
【００８３】
図１に示すように、第１の姿勢のときには、第２の針先受け部４は、弾性片５の弾性力により針体１００の外周面に図中の上側から圧接された状態になっている。また、弾性片５は、その先端側の部分が第４の部位２４から離間するように、弾性変形して湾曲した状態になっている。また、第２の針先受け部４は、第１の姿勢のとき、針体当接部３５と反対側から針体１００に当接している。
【００８４】
また、本実施形態では、側壁部７は、第１の姿勢のときにも、針体１００を側方から覆うような大きさに形成されており、一対の側壁部７の間に針体１００が挟まれる状態になっている。これにより、第１の姿勢から第２の姿勢になるまでの間、プロテクタ１と針体１００とが互いに横ズレするのをより確実に防止することができ、円滑かつ確実に第２の姿勢になることができる。
【００８５】
図２に示すように、第２の姿勢になると、第２の針先受け部４と針体１００とが接触しなくなることにより、第２の針先受け部４は、弾性片５の弾性力により、針先１０１に近づく方向に移動し、図中の上側から閉じる。この第２の姿勢では、弾性片５は、真っ直ぐに伸びて、第４の部位２４と重なって（平行に）位置する。
【００８６】
第２の針先受け部４は、第１の針先受け部（第２壁部３２および第３壁部３３）より先端側に位置しているので、第１の針先受け部に先んじて閉じる。
【００８７】
また、第１の姿勢から第２の姿勢になるとき、プラスチック部材３の第２壁部３２および第３壁部３３（第１の針先受け部）は、前述したように図中の下側から閉じ、第２の針先受け部４は、これと反対に、図中の上側から閉じる。このように、本実施形態では、第１の針先受け部と、第２の針先受け部４とが互いに反対側から（互い違いに）閉じることにより、より確実に針先１０１（最先端部１０３）を受けることができ、第２の姿勢のときに針先１０１がプロテクタ１を超えて突出するのをより確実に防止することができる。
【００８８】
また、本実施形態のプロテクタ１は、さらに、プロテクタ本体２およびプラスチック部材３の少なくとも一部を覆うカバー部６を有している。カバー部６は、第２の部位２２の他端（図中の上端部）からほぼ先端方向に延び、第４の部位２４の外側を覆うように位置する第１カバー部６１と、第１カバー部６１の両方の側部からそれぞれ図中の下方向に延びるように設けられ、プロテクタ本体２およびプラスチック部材３の側方を覆う一対の第２カバー部６２とで構成されている。
【００８９】
このようなカバー部６は、第２の姿勢のときに針体当接部３５近傍の部位を先端方向に移動させる操作を妨げる機能を有する。例えば、プラスチック部材３を指でつまんで先端方向に引っ張ろうとしたとき、プラスチック部材３の先端部は、その側方がカバー部６に覆われているため、これを指などで触れることはできず、よって、この操作を行うことはできない。これにより、本実施形態のプロテクタ１では、例えば、故意に針体１００から離脱させようとしたような場合であっても、針体１００からの分離を防止することができ、特に安全性が高い。なお、本発明では、カバー部６は、なくてもよい。
【００９０】
図３は、本発明のプロテクタの実施形態（第１の姿勢）を示す断面側面図である。図１および図２に示した状態では、針先１０１の刃面１０２が針体当接部３５と向かい合わない状態で、プロテクタ１が針体１００に装着されている。これに対し、図３に示した状態は、針先１０１の刃面１０２が針体当接部３５と向かい合う状態で、プロテクタ１が針体１００に装着されている点が異なる。
【００９１】
図１および図２に示す場合では、針体当接部３５が刃面１０２に接触することがないので、第１の姿勢からプロテクタ１が針体１００に対し相対的に先端方向に移動すると、プロテクタ１は、針体当接部３５が針先１０１の最先端部１０３を通過したところで一気に第１の針先受け部（第３壁部３３および第２壁部３２）が閉じて第１の部位２１（第１の孔１１）によるブレーキが掛かり、針体１００に対し停止する。すなわち、針体当接部３５が針先１０１の最先端部１０３を通過するまでは、ブレーキが掛かることがないので、確実に図２に示す状態が得られる。
【００９２】
これに対し、図３に示す場合には、第１の姿勢からプロテクタ１が針体１００に対し相対的に先端方向に移動すると、針体当接部３５が傾斜した刃面１０２上を摺動しつつ、第１の針先受け部（第３壁部３３および第２壁部３２）が徐々に閉じるとともに、第１の部位２１（第１の孔１１）によるブレーキも徐々に掛かることとなる。このようなことから、プロテクタ１が移動する速さや角度等の条件によっては、稀に、針体当接部３５が針先１０１の最先端部１０３を通過する前に第１の部位２１（第１の孔１１）によるブレーキが掛かってプロテクタ１が針体１００に対し停止してしまう場合がある。この現象が生じると、図３に示すように、プロテクタ１が針先１０１を覆って停止したとき、針先１０１の最先端部１０３が第１の針先受け部（第３壁部３３および第２壁部３２）を超えた状態になる。この状態では、プロテクタ１を強い力（制動力以上の力）で基端方向に押圧すると、針先１０１が第１の針先受け部（第３壁部３３および第２壁部３２）を超えて先端方向に突出するおそれがある。
【００９３】
しかしながら、プロテクタ１では、第２の針先受け部４が設けられており、この第２の針先受け部４が第１の針先受け部（第３壁部３３および第２壁部３２）に先んじて閉じているので、針先１０１が第１の針先受け部（第３壁部３３および第２壁部３２）を超えた場合であっても、最先端部１０３が第２の針先受け部４の内側に当接することにより、針先１０１がプロテクタ１を超えて先端方向に突出するのを確実に防止することができる。さらに、側壁部７が第２の針先受け部４の基端側において針先１０１を側方から覆っているので、針先１０１がプロテクタ１に対し横（側方）にずれようとした場合でも、これを阻止し、針先１０１（最先端部１０３）が第２の針先受け部４を超えることを確実に防止することができる。
【００９４】
このように、プロテクタ１では、第２の針先受け部４および側壁部７を設けたことにより、プロテクタ１に対する針先１０１の刃面１０２の向きや、プロテクタ１が移動する速さや角度等の条件にかかわらず、プロテクタ１が針先１０１を覆った後、針先１０１がプロテクタ１を超えて先端方向に突出するのを確実に防止することができる。
【００９５】
以上説明したような本実施形態のプロテクタ１は、留置針組立体２００における内針としての針体１００に装着されたものである。留置針組立体２００は、留置針である中空の外針３００と、外針３００の基端側に設置された筒状の外針ハブ４００と、外針３００内に挿入して使用される内針としての針体１００と、針体１００の基端側に設置された内針ハブ（図示せず）とを有している。留置針組立体２００の使用前の状態（組み立て状態）においては、プロテクタ１は、外針ハブ４００の内腔に位置して（収納されて）いる。
【００９６】
以下、このようなプロテクタ１および留置針組立体２００の使用方法の一例について説明する。
［１］  組み立て状態（図１に示す状態）の留置針組立体２００における、針体１００の針先１０１、次いで外針３００の針先（図示せず）を患者の血管（静脈または動脈）に穿刺し、この血管を両針先にて確保する。
【００９７】
［２］  血管に留置されている外針３００を手で押さえつつ、他方の手で内針ハブを把持し、針体１００を基端方向へ引っ張る。このとき、プロテクタ１は、プラスチック部材３の第２壁部３２の外面側に形成された凸部３２１が、外針ハブ２００の内周面に形成された凹部４０１内に挿入して係合していることにより、外針ハブ２００と連結されていることから、外針ハブ２００の内腔にとどまる。これにより、プロテクタ１は、針体１００に対しては、相対的に先端方向に移動する。
【００９８】
［３］  針体当接部３５が針先１０１を通過すると、プロテクタ１は、弾性的に（自身の弾性により）変形して、図２または図３に示す第２の姿勢となる。プロテクタ１が第２の姿勢となると、第１の部位２１のブレーキ作用（制動力）によって、プロテクタ１は、針体１００の長手方向に沿った移動が禁止（阻止）され、針先１０１が第１の孔１１に到達する前に針体１００に対し停止（静止）する。これに伴い、プラスチック部材３の姿勢変化により、凸部３２１が凹部４０１から出て、プロテクタ１と外針ハブ２００との連結状態が解除される。
【００９９】
［４］  図２または図３に示す状態から、さらに針体１００を基端方向に引っ張ると、プロテクタ１は、針体１００の針先１０１を覆った状態で、外針ハブ４００の外に出る。
【０１００】
［５］  針体１００が抜き取られた外針ハブ４００には、輸液セットのコネクタ等（図示せず）を素早く接続し、定法に従い、輸液の投与を開始する。このようにして外針３００から針体１００を抜き取った後は、針体１００は不要となるため、廃棄処分に供される。このとき、前述したように、針先１０１の最先端部１０３は、第１の針先受け部（第３壁部３３、第２壁部３２）または第２の針先受け部４により先端側から覆われるので、針先１０１がプロテクタ１を超えて突出することがなく、また、第２の部位２１のブレーキ作用により、プロテクタ１が針先１０１から離脱することもない。これにより、廃棄処理等に際し、針先１０１で誤って手指等を刺すという事故が防止される。
【０１０１】
上述したように、プロテクタ１は、針先１０１を覆う位置まで移動すると、第１の部位２１のブレーキ作用によって針体１００に対し停止し、針先１０１から離脱することはない。よって、プロテクタ１が針先１０１を通り越して針先１０１から離脱するのを防止するための特別な構造（例えば、針体１００の外径を局所的に太くしたり、針体１００の外周部に凸部または凹部を設けたり、内針ハブとプロテクタ１とをヒモまたは糸で連結したりするような構造）が不要である。これにより、構造の簡素化が図れるとともに、針体１００の先端部を特別な加工等を施さない円滑な外周面を有するものとすることができ、強度低下や刺通抵抗の増大等を招くことがない。また、プロテクタ１は、特別な構造を持たない既存の針体１００と組み合わせて使用することができ、汎用性が高い。
【０１０２】
以上、本発明のプロテクタを図示の実施形態について説明したが、本発明は、これに限定されるものではなく、プロテクタを構成する各部は、同様の機能を発揮し得る任意の構成のものと置換することができる。また、任意の構成物が付加されていてもよい。
【０１０３】
また、本発明では、プロテクタ本体の少なくとも一部を覆うカバー部は、なくてもよい。
【０１０４】
また、本発明のプロテクタは、留置針組立体に限らず、例えば、各種注射針に装着して使用することもできる。
【０１０５】
【発明の効果】
以上述べたように、本発明によれば、簡単な操作で、迅速かつ安全に、使用後の針体の針先をプロテクタで覆うことができ、廃棄処理等に際し、誤って針先で手指等を刺すという事故がなく、衛生面、安全面で極めて優れた穿刺具を提供することができる。
【０１０６】
また、プロテクタ本体の第３の部位に、内側湾曲部および外側湾曲部を形成したことにより、プロテクタ本体に第１の姿勢での形状ぐせが付きにくく、よって、プロテクタ本体を第１の姿勢で長期間保管したような場合であっても、第２の姿勢になったとき、プロテクタ本体の第１の部位のブレーキ作用をより確実に、かつ、より強力に発現させることができる。
【０１０７】
また、第２の針先受け部および側壁部を設けたことにより、プロテクタに対する針先の刃面の向きや、針先の形状、プロテクタが移動する速さ等の条件にかかわらず、プロテクタが針先を覆った状態で、針先がプロテクタを超えて先端方向に突出するのをより確実に防止することができる。
【図面の簡単な説明】
【図１】本発明のプロテクタの実施形態（第１の姿勢）を示す断面側面図である。
【図２】本発明のプロテクタの実施形態（第２の姿勢）を示す断面側面図である。
【図３】本発明のプロテクタの実施形態（第１の姿勢）を示す断面側面図である。
【符号の説明】
１            プロテクタ
１１          第１の孔
１２          第２の孔
２            プロテクタ本体
２１          第１の部位
２２          第２の部位
２３          第３の部位
２３１        内側湾曲部
２３２        内側湾曲部
２３３        外側湾曲部
２４          第４の部位
２５          第５の部位
２６          長孔
２７          屈曲部
３            プラスチック部材
３１          第１壁部
３２          第２壁部
３２１        凸部
３３          第３壁部
３４          針先収納空間
３５          針体当接部
４            第２の針先受け部
４１          係止部
５            弾性片
６            カバー部
６１          第１カバー部
６２          第２カバー部
７            側壁部
１００        針体
１０１        針先
１０２        刃面
１０３        最先端部
２００        留置針組立体
３００        外針
４００        外針ハブ
４０１        凹部
【図１】
2004154364.tif 000003
【図２】
2004154364.tif 000004
【図３】
2004154364.tif 000005